(57)【要約】      （修正有）【課題】昇降時の変動モーメントに対抗した完全バランス特性を有し、非常に軽い力で動かすことができ操作性が良く、昇降範囲において常にバランス静止ができ、スリム化し、折り畳んだ際の厚みも薄い表示パネルの支持装置を提供する。【解決手段】基台に回動可能に装着したアームの先端に、表示パネル取付用フレームが回動可能に軸着され、該フレームに表示パネルを取付ける表示パネルの支持装置であって、前記アームはリンク機構で構成され、表示パネル取付用フレームは、該リンク機構のリンク軸にフリクション機構を介在して回動可能に軸着され、前記リンク機構には、主に表示パネル取付用フレームに取付けた表示パネルの重量による回転モーメントに対抗してバランスさせるばねが設けられていることを特徴とする。【選択図】図２
2008076457.tif 000002
【特許請求の範囲】
【請求項１】
基台に回動可能に軸着したアームの先端に、表示パネル取付用フレームが回動可能に軸着され、該フレームに表示パネルを取付ける表示パネルの支持装置であって、
前記アームはリンク機構で構成され、表示パネル取付用フレームは、該リンク機構のリンク軸にフリクション機構を介在して回動可能に軸着され、
前記リンク機構には、主に表示パネル取付用フレームに取付けた表示パネルの重量による回転モーメントに対抗するばねが設けられていることを特徴とする表示パネル支持装置。
【請求項２】
前記リンク機構は、四節リンクであることを特徴とする請求項１記載の表示パネル支持装置。
【請求項３】
前記リンク機構を形成するリンク部材が、２枚の並行する板状体で構成されていることを特徴とする請求項１または２記載の表示パネル支持装置。
【請求項４】
前記リンク機構を形成するリンク部材の表示パネル取付用フレームが軸着される部分は、曲折されて立上り部となっており、表示パネル取付用フレームは、該立上り部に軸着されていることを特徴とする請求項１乃至３のいずれかに記載の表示パネル支持装置。
【請求項５】
前記表示パネル取付用フレームには、回動を一定範囲に規制する規制手段と、該規制手段の規制を解除する解除手段とが設けられていることを特徴とする請求項１乃至４のいずれかに記載の表示パネル支持装置。
【請求項６】
前記主に表示パネルの重量による回転モーメントに対抗するばねは、前記リンク機構を形成するリンク部材である並行する板状体の間に内蔵されていることを特徴とする請求項３記載の表示パネル支持装置。
【請求項７】
前記ばねは、引張ばね又は圧縮ばねであることを特徴とする請求項１または６記載の表示パネル支持装置。
【発明の詳細な説明】
【技術分野】
【０００１】
この発明は、液晶パネルなどからなる表示パネルを、高さおよび支持角度（傾斜角）の調整が可能に支持し、かつ折畳みが可能な表示パネル支持装置に関する。
【背景技術】
【０００２】
従来、液晶パネルやプラズマディスプレイパネルなどの表示パネルは、高さおよび支持角度（傾斜角）の調整が可能な支持装置で支持されているものが提案されている。
この表示パネルの支持装置としては、基台に対し表示パネルはアームを介して支持され、表示パネルとアームはブレーキ付回転軸（一定以上の力を加えて始めて回転させることができる軸）で連結され、基台とアームは、ブレーキ付回転軸で連結され、前記アームがリンク機構で構成されているもの（例えば、特許文献１参照）が提案されている。この支持装置によれば、アームは基台との回転軸で回転させることができ、高さの調整ができ、このとき、アームはリンク機構で構成されているので、表示パネルの傾斜角を変化させることなく高さの調整ができ、表示パネルはアームとの回転軸で回転させることができ傾斜角の調整ができる。
【０００３】
また、基台に対し表示パネルはアームを介して支持され、表示パネルとアームおよびアームと基台は、ヒンジ部で揺動可能に連結され、このヒンジ部に捩りばねが介装された支持装置（例えば、特許文献２参照）が提案されている。この支持装置によれば、アームを基台とのヒンジ部で揺動させることで高さの調整ができ、表示パネルをアームとのヒンジ部で揺動させることで傾斜角の調整ができる。
【０００４】
さらに、基台に対し表示パネルはアームを介して支持され表示パネルとアームおよびアームと基台は、枢軸にて回動可能に連結され、アームの中間部は、リンクの一端側で回動可能に支持され、リンクの他端側は前後移動可能な移動部材に連結され、この移動部材には螺子杆が螺合されている支持装置（例えば、特許文献３参照）が提案されている。この支持装置によれば螺子杆を正逆に回転させれば、移動部材を前後に移動させることができ、それによりリンクを介しアームを起伏させ高さの調整ができるものである。
【特許文献１】特開平４−１５５３７５号公報
【特許文献２】特開２００３−２８０５３３号公報
【特許文献３】特開平６−３４９２６２号公報
【発明の開示】
【発明が解決しようとする課題】
【０００５】
前記特許文献１に示すような表示パネルとアームおよび基台とアームとが、ブレーキ付回転軸（一定以上の力を加えて始めて回転させることができる軸）で連結されているものは、表示パネルの高さおよび傾斜角は、ブレーキ付回転軸で姿勢保持がなされており、ブレーキ付回転軸のブレーキ力以上の力を加えることでアームを起伏させて高さの調整および表示パネルを可動して傾斜角の調整ができるものである。従って、ブレーキ付回転軸のブレーキ力は、表示パネルの重量を支持して姿勢の保持できるものでなければならないのである程度高くなければならず、そのため高さ調整および傾斜角の調整は、相当の力が必要となり操作性が悪い課題がある。また、表示パネルを大きくし重量が重くなると、更に大きなブレーキ力が必要となるために、操作性が一層悪くなるし、支持できる表示パネルにも限界が生ずる。また、引用文献１の支持装置では、折り畳んだ際の厚さを薄くする考慮は、何ら開示されていない。
【０００６】
また、前記特許文献２に示すような表示パネルとアームおよび基台とアームとが、捩りばねを介装するヒンジ部で連結されているものは、表示パネルの重量には捩りばねで対抗するため、比較的大きな捩りばねを用いる必要があり、また、ばね特性のためアームの低位置では持ち上げ力が大きすぎ、アームの高位置では持ち上げ力が不充分となる傾向があり、アームの起伏の角度、表示パネルの傾斜角によって操作性が変化するし、大きく重量のある表示パネルの支持装置には不適である課題がある。要するに、捩りばね等を直接アーム作動角範囲で捩じって使用することにおいては、作用点に変化がない限り角度に比例して直線的な特性となり釣り合いのバランス特性が良くないので、フリクション機構等（摺動摩擦）に頼るところが大きく操作性が悪くなる。
さらに、特許文献３のような支持装置では高さの調整に螺子杆の操作が必要のために、操作が面倒となる不都合がある。
【０００７】
また、従来の支持装置は、総じて表示パネルの重量に対抗した、作動範囲におけるバランス特性が良くないのでフリクション（摺動摩擦）機構等に頼るところが大きく、操作性が重く悪い課題、従来の支持装置は、スリム化、小型化が不充分で折り畳んだ際の厚みがあり、保管や移送するための場所を大きくとるため経済性にも課題があった。
【０００８】
この発明は、このような課題を解決せんと提案されたものであり、その目的は、ばね特性が表示パネル重量に対する昇降時（高さ調整時）の変動モーメントに対抗した完全バランス特性を有し、非常に軽い力で動かす（高さ調整）ができ操作性が良く、昇降範囲（高さ調整範囲）において常にバランス静止（フリーストップ）ができ、余分な空間を排除し、ばねのスペース分だけのアームの厚さとなるようスリム化（薄型）し、折り畳んだ際の厚みも薄い表示パネルの支持装置の提供にある。
【課題を解決するための手段】
【０００９】
前記課題を解決するため、この発明の表示パネル支持装置は、基台に回動可能に軸着したアームの先端に、表示パネル取付用フレームが回動可能に軸着され、該フレームに表示パネルを取付ける表示パネルの支持装置であって、
前記アームはリンク機構で構成され、表示パネル取付用フレームは、該リンク機構のリンク軸にフリクション機構を介在して回動可能に軸着され、
前記リンク機構には、主に表示パネル取付用フレームに取付けた表示パネルの重量による回転モーメントに対抗するばねが設けられていることを特徴とする。
前記ばねは、引張ばね又は圧縮ばねにすると、簡単な構成において主に表示パネルの重量による回転モーメントに対抗させることが可能となるので好ましい。
この発明で「主に表示パネルの重量による回転モーメントに対抗する」とは、主に表示パネルの重量によりアーム（リンク機構）が基台に向かって下向き（取付用フレームに取付けられた表示パネルの高さ位置を降下させる方向）に回動しようとする回転モーメントに対し反対方向（表示パネルの位置を高くする方向）に付勢して対抗する意味である。また、「主に」表示パネルの重量による回転モーメントに対抗する、としたのは、アームには表示パネルの重量による回転モーメントだけでなく、他の取付用フレーム等の重量モーメントも付加されるが、大部分は表示パネルの重量による回転モーメントであることにより「主に」とした。
【００１０】
これにより表示パネル取付用フレームに取付けられた表示パネルは、リンク機構で構成するアームを基台に対し回動（上下動）させることによって、高さの調整ができる。この時、リンク機構は、表示パネルの重量による回転モーメントに対抗するばねが設けられているので、高さの調整した外力を取り除くと、主に表示パネルの重量による回転モーメントとこの回転モーメントに対抗するばねのばね力がバランスし、バランス静止してフリーストップするし、軽い力で調整が可能となり操作性も良好となる。また、アームはリンク機構で構成されているので、表示パネルの高さを調整しても表示パネルの傾斜角は変わらない。表示パネルは、フリクション（摩擦抵抗）機構を介在するリンク軸を中心に回動することで、傾斜角の調整が可能となる。また、調整した傾斜角は、フリクション（摩擦抵抗）機構によりその姿勢を保持する。
また、アーム（リンク機構）を基台の軸着部で回動し表示パネル取付用フレームをアーム（リンク機構のリンク軸）との軸着部で回動し、基台の上に折り畳むことが可能となる。
【００１１】
前記リンク機構が、四節リンクであると、構成が容易であるし、確実な作動とすることができる。
また、リンク機構を形成するリンク部材が、２枚の並行する板状体で構成すると、アームの厚みを薄くできる。また、主に表示パネルの重量による回転モーメントに対抗するばねを、この並行する板状体の間に内蔵すると、アームの厚みを増加させることなく、ばねを設けることができる。従って、アームの厚みを薄くできる。また、ばねは、板状体の間に内蔵するので、他の部材に干渉されることが防止され、確実な作動が保障される。
【００１２】
また、この発明の表示パネル支持装置における前記リンク機構を形成するリンク部材の表示パネル取付用フレームが軸着される部分は、曲折されて立上り部となっており、表示パネル取付用フレームは、該立上り部に軸着されていることを特徴とする。
これにより表示パネル支持装置を折り畳んだ際、この立上り部の高さ内に表示パネル支持装置の一部、例えば、表示パネル取付用フレーム部分を収めることができるので、表示パネル支持装置を折り畳んだ際の厚さを薄くすることができる。
【００１３】
また、この発明の表示パネル支持装置の前記表示パネル取付用フレームには、回動を一定範囲に規制する規制手段と、該規制手段の規制を解除する解除手段とが設けられていることを特徴とする。
これにより使用時には表示パネル取付用フレームに取り付けた表示パネルの傾斜角の調整範囲を規制手段で一定範囲に規制し、不使用時や輸送時には解除手段で解除し回動範囲を拡大して折り畳みを可能とすることができる。
【発明の効果】
【００１４】
この発明の表示パネル支持装置によれば、次のような効果を奏する。
（１）表示パネル取付用フレームに取り付けた表示パネルは、リンク機構で構成するアームを基台に対し回動（上下動）させることによって高さの調整ができる。
（２）アームを構成するリンク機構は、表示パネルの重量による回転モーメントに対抗するばねを備えており、主に表示パネルの重量による回転モーメントとこの回転モーメントに対抗するばねのばね力がバランスする構成となっているので、軽い力で調整が可能となり操作性も良好である。
（３）アームを構成するリンク機構は、表示パネルの重量による回転モーメントに対抗するばねを備えており、主に表示パネルの重量による回転モーメントとこの回転モーメントに対抗するばねのばね力がバランスする構成となっているので、高さを調整しても常にバランス静止してフリーストップさせることができる。
（４）アームはリンク機構で構成されているので、表示パネルの高さを調整しても表示パネルの傾斜角は変わらない。
【００１５】
（５）表示パネルを取り付けたフレームは、リンク機構のリンク軸にフリクション機構を介在して回動可能に軸着されているので、表示パネルはリンク軸を中心に回動させ、傾斜角を調整することができる。調整した傾斜角は、フリクション機構で姿勢保持される。
（６）アーム（リンク機構）を基台との軸着部で回動し、表示パネルを取り付けたフレームをアーム（リンク機構のリンク軸）との軸着部で回動（この時は規制手段での規制は解除手段で解除する。）し、基台の上に折り畳むことが可能となる。
（７）リンク機構を形成するリンク部材が並行する板状体であり、主に表示パネルの重量による回転モーメントに対抗するばねを、この並行する板状体の間に内蔵させてあるので、アームの厚みを薄くすることができるし、ばねが他の部材の干渉から保護され、確実な作動が保障される。
【００１６】
（８）リンク機構を形成するリンク部材の表示パネル取付用フレームが軸着される部分は、曲折されて立上り部となっているので、アームおよび表示パネル取付用フレームを折り畳んだ際、立上り部の高さ内に表示パネル取付用フレーム部分を収めることができるので、前記アームを薄くしたことと相俟って表示パネル支持装置の折り畳み時の厚さを薄くすることができる。
（９）従って、１台あたりの専有する収納スペースが小さくて済み、同じ収納スペースでは収容量を多くすることができ、輸送費等の経済性を図ることができる。
（１０）表示パネル取付用フレームに取り付けた表示パネルは、傾斜角の調整範囲を規制手段で規制できるし、この規制手段での規制を解除し回動範囲を拡大して折り畳みを可能とできる。
【発明を実施するための最良の形態】
【００１７】
以下、この発明の実施の形態を図面と共に詳細に説明する。図１はこの発明の実施の形態を示す表示パネル支持装置の斜視図、図２はこの発明の実施の形態を示す表示パネルの高さ調整の作動状態を説明する側面図、図３はこの発明の実施の形態を示す表示パネル支持装置の表示パネルの傾斜角調整の作動状態を説明する側面図、図４はこの発明の実施の形態を示す表示パネル支持装置を折り畳んだ状態の側面図である。
【００１８】
同図において表示パネル支持装置は、基台２と、該基台２に回動可能に軸着されたアーム３と、該アーム３の先端に回動可能に軸着された表示パネル取付用フレーム４とで構成され、表示パネル１は、表示パネル取付用フレーム４に取り付けられ、図２に示すようにアーム３を基台２の軸着部を中心に回動（上下動）することによって表示パネル１の高さの調整ができ、図３に示すように表示パネル取付用フレーム４をアーム３との軸着部を中心に回動（前後動）することによって表示パネル１の傾斜角の調整ができる構成となっている。また、この構成では、図２において表示パネル取付用フレーム４を矢印Ｘ方向に回動させ、アーム３を矢印Ｙ方向に回動させることによって、図４に示すように折り畳むことができる。
前記アーム３はリンク機構５で構成され、表示パネル取付用フレーム４は、該リンク機構５のリンク軸６にフリクション機構１５（詳細は後述する）を介在させて回動可能に軸着されている。従って、アーム３を基台２との軸着部を中心に回動（上下動）させて高さの調整をしても、アーム３がリンク機構５で構成されているため、表示パネル１の傾斜角は変わらない。表示パネル１の傾斜角は、リンク軸６を中心に回動（前後動）することによって実行できる。表示パネル１の傾斜角の姿勢保持はフリクション機構１５で保持される。
また、アーム３を回動（上下動）させて高さの調整をする際に、アーム３を構成するリンク機構５には、表示パネル１の重量による回転モーメントに対抗してバランスさせる引張ばね７を設け、常にバランス静止、即ち、フリーストップが可能となる構成を採用している。
【００１９】
更に詳細に説明する。図５はこの発明の実施の形態を示す表示パネル支持装置のケースを取り外して内部構造を露出させた斜視図、図６はその分解斜視図、図７は図５の中央縦断面図である。
【００２０】
アーム３を構成するリンク機構５は、リンク部材が板状体で形成された第１リンク部材８と第２リンク部材９を備え、この第１リンク部材８と第２リンク部材９は並行して設けられている。詳しくは第１および第２リンク部材８、９の板状体は長方形で、その長手方向の両側は折り曲げられて側壁８ａ、８ｂ、９ａ、９ｂに形成され、第２リンク部材９の幅が第１リンク部材８の幅より小さく形成され、この第１および第２リンク部材８、９を、両側壁８ａ、８ｂ、９ａ、９ｂが対向する格好で並行させて重ね合わせている。すると第２リンク部材９は、幅が、第１リンク部材８より小さいため、第１リンク部材８の側壁８ａ、８ｂ内に嵌入して重ね合わさり、並行する第１リンク部材８と第２リンク部材９との間には、側壁８ａ、８ｂ、９ａ、９ｂの高さ分の空間（スペース）が形成される。この空間に引張ばね７が内蔵される。これによりアーム３の厚さを薄くすることができると共に、引張ばね７の他の部材からの干渉を防止できる。
【００２１】
このように形成された第１リンク部材８と第２リンク部材９の下端は、側壁８ａ、８ｂ間および側壁９ａ、９ｂ間に挿通された軸１１、１２により基台２に設けられたブラケット１０に回動可能に取り付けられる。本例では軸１１、１２は共通の軸受部材１３でブラケット１０に取り付けられ、各軸間の「ガタ」をなくし、摺動異音の発生を防止し、滑らかな動きが可能で操作性および耐久性の向上を図っている。また、軸１１、１２のブラケット１０への取付位置は、第１リンク部材８の方が上方に位置し、第２リンク部材９の方が斜め下方に位置している。
【００２２】
第１リンク部材８の側壁８ａ、８ｂの上端は、折り曲がり立上り部１４に形成され、この側壁８ａ、８ｂの立上り部１４に、表示パネル１の取付用フレーム４がリンク軸６、６によって回動可能に取付けられる。このリンク軸６、６には、図８、図９および図１０に示すようにフリクション（摩擦抵抗、あるいは摺動抵抗ともいう）機構１５を介して表示パネル取付用フレーム４が取り付けられる。
なお、この第１リンク部材８の軸１１への取付部および第２リンク部材９の軸１２への取付部の、いずれか一方または双方にはフリクション機構を介在させてもよい。
【００２３】
図８は、リンク軸６、６にフリクション機構１５を介在して表示パネル取付用フレーム４が取り付けられた部分の斜視図、図９はリンク軸６部分の断面図、図１０はリンク軸６部分の分解斜視図である。
フリクション機構１５は、リンク軸６が非円形断面形状、例えば、ＤカットあるいはＷＤカット形状であり、このリンク軸６に第１リンク部材８および表示パネル取付用フレーム４は円形孔で回転可能に取り付けられ、図９に示すようにこの第１リンク部材８の立上り部１４の両側および表示パネル取付用フレーム４の両側には、リンク軸６の非円形形状に対応する非円形孔の摩擦板（フリクション座金）１６が回転不可で軸方向移動可能に押圧当接して挿着されて構成されている。従って、表示パネル取付用フレーム４は、摩擦板１６との間の摩擦抵抗（摺動抵抗）により、一定以上の力を加えないと回動できず、その位置を保持する。この時の摩擦抵抗の強弱は、ナット１７での締め付け力を調整することによって調整できる。これにより表示パネル取付用フレーム４に取付けた表示パネル１は、一定の力を加えることによって傾斜角の調整ができ、その力を取り除くとその姿勢を保持する。本例では、両方の側壁８ａ、８ｂに設けた両方のリンク軸６、６にフリクション機構１５が設けられているので、確実なフリーストップが可能となるし、両方のフリクション機構１５、１５で表示パネル１の重量に対抗するので、各フリクション機構１５の摩擦抵抗は弱目に設定できるので、軽い力で動かす事ができ操作性を良くする事ができる。
【００２４】
また、前記リンク軸６には、略円形のストッパ板１８が回転不可に設けられており、このストッパ板１８の外周面には切欠１８ａが設けられている。
一方、表示パネル取付用フレーム４には、係止板１９が前記ストッパ板１８の外周面に向かって摺動自在に設けられており、この係止板１９は、ばね２０にて押圧されてストッパ板１８の外周面に当接している。
従って、係止板１９がストッパ板１８の切欠１８ａに位置するときは、その切欠１８ａの範囲でしか回動できず、傾斜角の調整もこの範囲であるが、ばね２０のばね力に抗して係止板１９を摺動し、ストッパ板１８の切欠１８ａより外すことにより表示パネル取付用フレーム４の回動は規制が解除されて自由に可能となる。これが表示パネル取付用フレーム４の、回動を一定範囲に規制する規制手段と、該規制手段の規制を解除する解除手段となる。
なお、軸受部材２１のリンク軸６への取付部の外周面に切欠を設ける等のストッパ板１８と同様の構成を設けることによって、軸受部材２１にストッパ板１８と同様の機能をもたせることができる。この場合の係止板１９は、軸受部材２１のリンク軸６への取付部の外周面に向けて進退するようにすることは当然である。この場合は、ストッパ板１８は不要となり、部品点数はその分減少できる。
【００２５】
また、第１リンク部材８の前記側壁８ａ、８ｂに設けられた両方のリンク軸６、６には、リンク軸６の非円形形状に対応する非円形孔で挿着された第２リンク部材９の上端を連結する軸受部材２１、２１が回転不可に取り付けられている。この軸受部材２１、２１は連結部２１ａで連結されて一体に形成されている。この軸受部材２１、２１間には、軸部材２２が架設され、前記第２リンク部材９の上端は、この軸部材２２に回動可能に取り付けられている。即ち、第２リンク部材９の上端は、軸受部材２１、２１を介してリンク軸６、６に連結されている。
【００２６】
このように並行する第１リンク部材８と第２リンク部材９、第１リンク部材８の下端を枢着する軸１１、第２リンク部材９の下端を枢着する軸１２、および第１リンク部材８の上端と第２リンク部材９を連結するリンク軸６とは、四節リンク機構５を構成し、この四節リンク機構５がアーム３を構成する。
そして、第２リンク部材９の上部と第１リンク部材８の下部との間に引張ばね７が張設される。引張ばね７の上端は、第２リンク部材９の上端に設けた軸部材２２に取り付けるか、または、係止部材２３を設けこれに取り付けるようにしてもよい。図２、図３、図４および図８には、軸部材２２に取付けた場合が示され、図６および図７には、係止部材２３に取付けた場合が示されている。また、引張ばね７の下端は、本例では第１リンク部材８の下部に取付部２４を設け、これに取り付けているが、これは軸１１であってもよい。この引張ばね７は、前述した第１リンク部材８と第２リンク部材９との間のスペースに配置されている。本例では引張ばね７を２本張設した場合を示している。これにより第１リンク部材８と第２リンク部材９は、板状体で形成され、引張ばね７は、この第１リンク部材８と第２リンク部材９との間のスペースに内蔵されているので、リンク機構５で構成するアーム３の厚さを薄くしてスリムにすることができるし、引張ばね７は、第１および第２リンク部材８、９に保護され、他の部材への干渉もしないし、他の部材からの干渉も防止される。
【００２７】
引張ばね７は、主に表示パネル１の重量による回転モーメントに対抗してバランスさせるものであるので、表示パネル１の重量による回転モーメントに対応させて引張ばね７のばね力および本数等を設定し、軽い力で表示パネル１の高さの調整ができ、操作性を良くすると共にバランス特性を最適とする。
図１１はアーム角度の変位（ｄｅｇ）における表示パネルを乗せた場合の重量モーメントＭｗとアームに組み込むばね反力より発生する釣り合い（バランス）のばねモーメントＭｓを表す。
ばねモーメントＭｓは、表示パネル重量モーメントＭｗに近似するほど作動範囲におけるバランス特性が向上し、操作性が良好となり、軽い力で表示パネルの高さ調整が可能となる。従って、引張ばね７は、前記図１１に示すようなばねモーメントＭｓとなるように設定するのが好ましい。
【００２８】
なお、表示パネル１の重量による回転モーメントに対抗するばねとして、前記実施の形態では、引張ばね７の場合を示したが、これは他のばねでもよい。例えば、圧縮ばね、皿ばね、輪ばね等を例示できる。
図１４は、圧縮ばね７ａを使用した場合の側面説明図である。この圧縮ばね７ａの場合は、圧縮ばね７ａの下端を第２リンク部材９の下端に連結し、圧縮ばね７ａの上端を第１リンク部材８の上端に連結する。これによりアーム３（リンク部材８、９）が下向き（表示パネル１の高さを降下させる方向）に回動する場合には、圧縮ばね７ａが圧縮され、その反発力（ばね力）が増加して表示パネルの重量による回転モーメントに対抗してバランスさせる。矢印は圧縮ばねの付勢方向を示している。
また、皿ばねや輪ばねは、複数の皿ばねや輪ばねを積層状に重ね合わせて配列し、これを前記圧縮ばねと同様に使用する。この皿ばねや輪ばねの場合には、皿ばねや輪ばねを重ね合わせて配列した状態を保持させる補助具が必要となる。
【００２９】
次に、前記実施の形態に示す表示パネル支持装置の作用を説明する。
アーム３を構成するリンク機構５の第１リンク部材８および第２リンク部材９は、下端が基台２のブラケット１０に、軸１１、１２で回動可能に枢着され、第２リンク部材９の上端は、第１リンク部材８の上端に設けたリンク軸６に、軸受部材２１を介して軸部材２２で連結され、第１リンク部材８の上端のリンク軸６には、フリクション機構１５を介在して表示パネル取付用フレーム４が回動可能に取り付けられ、この表示パネル取付用フレーム４には表示パネル１が取り付けられる。そして、第２リンク部材９の上部と第１リンク部材８の下部との間には、引張ばね７が張設されている。
従って、表示パネル取付用フレーム４に取り付けられた表示パネル１は、図２に示すようにリンク機構５で構成するアーム３を、第１および第２リンク部材８、９の軸１１、１２を中心に回動することで上下動でき、高さの調整ができる。この高さの調整をすると、リンク機構５の引張ばね７が、主に表示パネル１の重量による回転モーメントに対抗してバランスさせるので、軽い力で上下動でき、その軽い力（外力）を取り除くとその位置で停止（バランス静止）する。即ち、フリーストップする。要するに、軽い力で表示パネルの高さ調整ができる。この表示パネル１の高さの調整では、アーム３がリンク機構５で構成されているので、表示パネル１の傾斜角は変化しない。
【００３０】
また、表示パネル１は、図３に示すように表示パネル取付用フレーム４をリンク軸６を中心に回動することで、傾斜角の調整ができる。この表示パネル取付用フレーム４は、フリクション機構１５を介在してリンク軸６に取り付けられているので、このフリクション機構１５の抵抗力（摩擦抵抗）以上の力を加えることで回動でき傾斜角の調整ができ、その外力を除くとフリクション機構１５の抵抗力（摩擦抵抗）でその位置に停止し、その姿勢を保持する。
【００３１】
この時の表示パネル１の傾斜角の調整範囲は、係止板１９がばね２０に押圧されてストッパ板１８の切欠１８ａに位置するので、表示パネル取付用フレーム４の作動範囲が規制され、調整（作動）範囲は、切欠１８ａの長さの範囲内である。しかし、係止板１９をばね２０に抗して摺動させ、ストッパ板１８の切欠１８ａより外すと表示パネル取付用フレーム４の作動範囲が広くなり図４に示すように折り畳みも可能となる。
【００３２】
即ち、表示パネル取付用フレーム４を上記の状態にして図２の矢印Ｘの方向に回動し、また、リンク機構５で構成するアーム３を図２の矢印Ｙ方向に回動することによって、図４に示すように折り畳むことが可能である。図１２には表示パネル取付用フレーム４を水平位置まで回動した様子が示され、図１３には表示パネル取付用フレーム４を更に回動し、アーム３も回動し折り畳んだ様子が示されており、折り畳みできる様子が良く理解できる。
【００３３】
また、表示パネル取付用フレーム４は、表示パネル１を取付可能なベサ（プレート）とベースを有し、ベサは表示パネル１を横長向き及び縦長向きに変換可能なピポット機構、ベースは表示パネル１を左右自在の向きに回転できるスイーベル機構を備えるが、これらは従来公知なので、詳細な説明は省略する。
また、基台２も回転可能となっているのが好ましい。この基台２を回転可能とする構成も従来公知なものを採用し得る。
【００３４】
なお、前記実施の形態は、この発明を制限するものではなく、この発明は要旨を逸脱しない範囲において種々の変更が許される。例えば、リンク機構５は他のリンク機構であってもよいことはもちろんであるし、引張ばね７に代えて他のばねとすることもできる。
【産業上の利用可能性】
【００３５】
この発明の表示パネル支持装置は、液晶パネルやプラズマディスプレイなどの表示パネル、例えば、モニター等に使用して最適である。
【図面の簡単な説明】
【００３６】
【図１】この発明の実施の形態を示す表示パネル支持装置の斜視図である。
【図２】この発明の実施の形態を示す表示パネル支持装置の高さ調整の作動状態を説明する側面図である。
【図３】この発明の実施の形態を示す表示パネル支持装置の表示パネルの傾斜角調整の作動状態を説明する側面図である。
【図４】この発明の実施の形態を示す表示パネル支持装置を折り畳んだ状態の側面図である。
【図５】この発明の実施の形態を示す表示パネル支持装置のケースを取り外して内部構造を露出させた斜視図である。
【図６】この発明の実施の形態を示す分解斜視図である。
【図７】図５の中央縦断面図である。
【図８】リンク軸付近の拡大部分斜視図である。
【図９】リンク軸部分の断面図である。
【図１０】リンク軸部分の分解斜視図である。
【図１１】表示パネル重量モーメントとばねモーメントの線図である
【図１２】表示パネル取付用フレームを水平位置まで回動させた状態を示す斜視図である。
【図１３】折り畳んだ状態を示す斜視図である。
【図１４】圧縮ばねを使用した場合の側面説明図である。
【符号の説明】
【００３７】
１  表示パネル
２  基台
３  アーム
４  表示パネル取付用フレーム
５  リンク機構
６  リンク軸
７  引張ばね
７ａ  圧縮ばね
８  第１リンク部材
８ａ、８ｂ  第１リンク部材の側壁
９  第２リンク部材
９ａ、９ｂ  第２リンク部材の側壁
１０  ブラケット
１１、１２  軸
１３  軸受部材
１４  立上り部
１５  フリクション機構
１６  摩擦板（フリクション座金）
１８  ストッパ板
１８ａ  切欠
１９  係止板
２０  ばね
２１  軸受部材
２２  軸部材
２３  係止部材
２４  取付部
【図１】
2008076457.tif 000003
【図２】
2008076457.tif 000004
【図３】
2008076457.tif 000005
【図４】
2008076457.tif 000006
【図５】
2008076457.tif 000007
【図６】
2008076457.tif 000008
【図７】
2008076457.tif 000009
【図８】
2008076457.tif 000010
【図９】
2008076457.tif 000011
【図１０】
2008076457.tif 000012
【図１１】
2008076457.tif 000013
【図１２】
2008076457.tif 000014
【図１３】
2008076457.tif 000015
【図１４】
2008076457.tif 000016